(57)【要約】【課題】  頻繁に電子文書の更新を確認する必要がない装置、電子文書の最新の更新情報だけが必要な装置に対し、所望の頻度で、フィードリーダを使って更新情報を参照可能にする為の技術を提供すること。【解決手段】  紙文書を読込むことで得られる文書内容情報と、文書生成用の指示内容情報と、に基づいて電子文書を生成し、指示内容情報に基づいて紙文書の説明情報を生成する。電子文書を生成したことを外部の装置に通知するためのデータであるフィードデータを説明情報を参照することで生成し、外部の装置からの要求に応じてフィードデータを外部の装置に送信する。【選択図】  図１
2010287130.tif 000002
【特許請求の範囲】
【請求項１】
紙文書を読込むことで得られる文書内容情報と、文書生成用の指示内容情報と、に基づいて電子文書を生成する手段と、
前記指示内容情報に基づいて、前記紙文書の説明情報を生成する手段と、
前記電子文書を生成したことを外部の装置に通知するためのデータであるフィードデータを、前記説明情報を参照することで生成する手段と、
前記外部の装置からの要求に応じて、前記フィードデータを前記外部の装置に送信する手段と
を備えることを特徴とする画像処理装置。
【請求項２】
更に、
前記画像処理装置に既に登録されている電子文書に対する更新時、若しくは電子文書を追加登録する際に、対応するフィードデータを修正する手段
を備えることを特徴とする請求項１に記載の画像処理装置。
【請求項３】
更に、
電子文書の公開さきから電子文書の格納フォルダの一覧要求を受信した場合、各格納フォルダのフィードデータへの参照情報を含むフォルダ一覧画面を生成する手段
を備えることを特徴とする請求項１に記載の画像処理装置。
【請求項４】
更に、
前記フィードデータに記述された電子文書への参照情報に基づいて電子文書の送信要求を前記外部の装置から受信した場合、当該送信要求に対応する電子文書を前記外部の装置に送信する手段
を備えることを特徴とする請求項１に記載の画像処理装置。
【請求項５】
更に、
ネットワークにおける他の画像処理装置で、電子文書が新規に生成された場合、当該他の画像処理装置から送信されたフィードデータの追加要求を受信し、電子文書に対応するフィードデータの記述を追加する手段
を備えることを特徴とする請求項１に記載の画像処理装置。
【請求項６】
更に、
ネットワークにおける他の画像処理装置で、電子文書が更新、追加された場合、当該他の画像処理装置から送信されたフィードデータの修正要求を受信し、電子文書に対応するフィードデータの記述を修正する手段
を備えることを特徴とする請求項２に記載の画像処理装置。
【請求項７】
更に、
電子文書を新規に作成した場合、ネットワークにおける他の画像処理装置に、フィードデータの記述の追加要求を送信する手段
を備えることを特徴とする請求項１に記載の画像処理装置。
【請求項８】
更に、
電子文書を更新、追加された場合、ネットワークにおける他の画像処理装置に、フィードデータの記述の修正要求を送信する手段
を備えることを特徴とする請求項２に記載の画像処理装置。
【請求項９】
前記フィードデータは、ATOM Syndication FormatもしくはRSSの形式で記述されていることを特徴とする請求項１乃至８の何れか１項に記載の画像処理装置。
【請求項１０】
前記追加要求は、ATOM Publishing Protocolで行われることを特徴とする請求項７に記載の画像処理装置。
【請求項１１】
前記修正要求は、ATOM Publishing Protocolで行われることを特徴とする請求項８に記載の画像処理装置。
【請求項１２】
前記フォルダ一覧画面は、ＨＴＭＬで記述されていることを特徴とする請求項３に記載の画像処理装置。
【請求項１３】
紙文書を読込むことで得られる文書内容情報と、文書生成用の指示内容情報と、に基づいて電子文書を生成する工程と、
前記指示内容情報に基づいて、前記紙文書の説明情報を生成する工程と、
前記電子文書を生成したことを外部の装置に通知するためのデータであるフィードデータを、前記説明情報を参照することで生成する工程と、
前記外部の装置からの要求に応じて、前記フィードデータを前記外部の装置に送信する工程と
を備えることを特徴とする画像処理方法。
【請求項１４】
コンピュータを、請求項１乃至１２の何れか１項に記載の画像処理装置が有する各手段として機能させるためのコンピュータプログラム。
【請求項１５】
請求項１４に記載のコンピュータプログラムを格納した、コンピュータ読み取り可能な記憶媒体。
【発明の詳細な説明】
【技術分野】
【０００１】
本発明は、ネットワークを介してデータ通信可能な装置間で電子文書を共有する為の技術に関するものである。
【背景技術】
【０００２】
従来から、スキャナ機能を用いて紙文書を読み込み、Adobe（登録商標）社のPDF形式、Microsoft（登録商標）社のXPS形式の電子文書を生成した後、特定の記憶領域（フォルダ）に電子文書を保存する技術が知られている。また、スキャナ機能を有する装置が、フォルダの設定もしくは文書情報から取得した宛先に、電子メールで文書が保存されたことを通知する技術が知られている（特許文献１）。
【先行技術文献】
【特許文献】
【０００３】
【特許文献１】特開２００５−３４６５０１号公報
【発明の概要】
【発明が解決しようとする課題】
【０００４】
従来の技術のように、スキャン機能を有する電子文書生成装置が、生成した電子文書をフォルダに保存したことを、電子メールで電子文書参照側に通知する場合、フォルダに文書が追加、更新される度に、宛先として設定された装置に電子メールが送信される。この結果、頻繁に電子文書の更新を確認する必要がない参照側の装置、電子文書の最新の更新情報だけが必要な参照側の装置にも、頻繁に電子文書の更新情報が通知されてしまう問題があった。また、電子メールの宛先が複数設定された場合、装置もしくはネットワークのメール送信処理の負荷が一時期に集中する問題があった。
【０００５】
本発明は以上の問題に鑑みて成されたものであり、頻繁に電子文書の更新を確認する必要がない装置、電子文書の最新の更新情報だけが必要な装置に対し、所望の頻度で、フィードリーダを使って更新情報を参照可能にする為の技術を提供することを目的とする。
【課題を解決するための手段】
【０００６】
本発明の目的を達成するために、例えば、本発明の画像処理装置は、以下の構成を備える。即ち、紙文書を読込むことで得られる文書内容情報と、文書生成用の指示内容情報と、に基づいて電子文書を生成する手段と、前記指示内容情報に基づいて、前記紙文書の説明情報を生成する手段と、前記電子文書を生成したことを外部の装置に通知するためのデータであるフィードデータを、前記説明情報を参照することで生成する手段と、前記外部の装置からの要求に応じて、前記フィードデータを前記外部の装置に送信する手段とを備えることを特徴とする。
【発明の効果】
【０００７】
本発明の構成によれば、頻繁に電子文書の更新を確認する必要がない装置、電子文書の最新の更新情報だけが必要な装置に対し、所望の頻度で、フィードリーダを使って更新情報を参照可能にすることができる。
【図面の簡単な説明】
【０００８】
【図１】電子文書生成装置のハードウェア構成例を示すブロック図。
【図２】画面の遷移例を示す図。
【図３】（ａ）は画面データ、（ｂ）は画面の表示例を示す図。
【図４】画面の表示例を示す図。
【図５】フィードデータ１４２の一例を示す図。
【図６】フィードデータ１４２の一例を示す図。
【図７】フィードデータ１４２の一例を示す図。
【図８】（ａ）、（ｂ）は文書生成オプション一覧表１１５の構成例、（ｃ）は文書生成オプション変換表１１６の構成例を示す図。
【図９】（ａ）は公開フォルダ一覧表１１４の構成例、（ｂ）は公開フォルダ一覧表１５１４の構成例を示す図。
【図１０】電子文書生成装置１００による電子文書の生成処理のフローチャート。
【図１１】ステップＳ９０５における処理の詳細を示すフローチャート。
【図１２】ステップＳ９０７における処理の詳細を示すフローチャート。
【図１３】フィードデータ参照登録処理のフローチャート。
【図１４】フィードデータ取得処理のフローチャート。
【図１５】第２の実施形態に係るシステムの構成例を示すブロック図。
【図１６】電子文書生成装置１５００のハードウェア構成例を示すブロック図。
【発明を実施するための形態】
【０００９】
以下、添付図面を参照し、本発明の好適な実施形態について説明する。なお、以下説明する実施形態は、本発明を具体的に実施した場合の一例を示すもので、特許請求の範囲に記載の構成の具体的な実施例の１つである。
【００１０】
［第１の実施形態］
図１は、本実施形態に係る画像処理装置としての、電子文書生成装置のハードウェア構成例を示すブロック図である。図１に示す如く、電子文書生成装置１００は、メモリ１１０、ＣＰＵ１３０を有し、更に、この電子文書生成装置１００には、記憶装置１４０、入出力装置１７０が接続されている。また更に、電子文書生成装置１００は、ネットワーク１６０に接続されており、このネットワーク１６０には、電子文書生成装置１００が生成した電子文書を参照する電子文書参照装置１５０（外部の装置）が接続されている。
【００１１】
入出力装置１７０は、タッチパネル形式の表示画面やキーボード、マウスなどにより構成されており、ユーザが操作することで各種の指示をＣＰＵ１３０に対して入力することができると共に、各種の表示を行うことができる。
【００１２】
記憶装置１４０には、電子文書生成装置１００が生成した電子文書１４１や、この電子文書１４１の更新を電子文書参照装置１５０に通知するために用いるフィードデータ１４２が保存されている。もちろん、後述する処理において必要となる情報についても、この記憶装置１４０に格納するようにしても良い。本実施形態では、この記憶装置１４０は、ハードディスクドライブ装置としているが、ＣＤ−ＲＯＭやＤＶＤ−ＲＯＭ等、その他の種別の記憶装置であっても良い。
【００１３】
電子文書参照装置１５０には、HTMLで記述されたデータを表示可能なWebブラウザとしてフィードリーダ１５１が格納されており、このフィードリーダ１５１は、電子文書参照装置１５０が有する不図示のＣＰＵにより実行される。もちろん、同様の目的を達成することができるのであれば、その他の種別のビューアを用いても良い。メモリ１１０には、以下に列挙する各部がコンピュータプログラムの形態でもって格納されている。
【００１４】
・  電子文書形式指定部１１１
・  文書読込部１１２
・  電子文書生成部１１３
・  文書プロパティ取得部１１７
・  フィードエントリ生成部１１８
・  フィードエントリ更新部１２０
・  フィードデータ選択部１２１
・  公開フォルダ一覧要求受付部１２２
・  公開フォルダ一覧画面生成部１２３
・  フィードデータ要求受付部１２４
・  電子文書要求受付部１２５
更に、メモリ１１０には、以下に列挙する各部がデータの形態でもって格納されている。
【００１５】
・  公開フォルダ一覧表１１４
・  文書生成オプション一覧表１１５
。  文書生成オプション変換表１１６
電子文書形式指定部１１１は、電子文書生成装置１００が紙文書から取得する電子文書についての様々な設定を行う。文書生成オプション一覧表１１５は、電子文書形式指定部１１１によって設定された設定情報を登録するためのものである。
【００１６】
文書読込部１１２は、電子文書生成装置１００にセットされた紙文書に記録されている情報を画像として取得し、取得した画像を電子文書生成部１１３に送出して電子文書の生成を要求する。
【００１７】
電子文書生成部１１３は、文書読込部１１２が取得した画像に基づいて電子文書を生成し、生成した電子文書を、記憶装置１４０に電子文書１４１として保存する。公開フォルダ一覧表１１４には、電子文書参照装置１５０に公開する公開フォルダ名と、記憶装置１４０上のフォルダパスと、の対応関係情報が記されている。
【００１８】
文書プロパティ取得部１１７は、文書生成オプションから、フィードデータ内で使う文書プロパティを取得する。文書生成オプション変換表１１６には、文書生成オプションとフィードデータ内で使う文書プロパティとの対応関係情報が記されている。
【００１９】
フィードエントリ生成部１１８は、新規のエントリデータを作成し、作成した新規のエントリデータを、記憶装置１４０に既に保存されているフィードデータ１４２に追加登録する。フィードエントリ更新部１２０は、記憶装置１４０に登録されているフィードデータ１４２内のエントリデータを更新する。フィードデータ選択部１２１は、記憶装置１４０に既に保存されているフィードデータ１４２から、必要なフィードデータを選択し、取得する。
【００２０】
公開フォルダ一覧要求受付部１２２は、電子文書参照装置１５０からの公開フォルダ一覧要求を受け付け、公開フォルダ一覧表示のための画面データを電子文書参照装置１５０に送信する。
【００２１】
公開フォルダ一覧画面生成部１２３は、公開フォルダ一覧表示のための画面データを生成する。フィードデータ要求受付部１２４は、電子文書参照装置１５０からフィードデータの要求を受け付け、この要求に該当するフィードデータを電子文書参照装置１５０に送信する。電子文書要求受付部１２５は、電子文書参照装置１５０から電子文書の要求を受け付け、この要求に該当する電子文書を電子文書参照装置１５０に送信する。
【００２２】
なお、メモリ１１０に格納されているものとして上述した各部はＣＰＵ１３０により実行されることで、その機能を実現する。以下では説明上、メモリ１１０に格納されている各部を処理の主体とするが、実際には、ＣＰＵ１３０が処理の主体となる。
【００２３】
次に、以下に説明する各処理で登場する画面について簡単に触れておく。図２は、電子文書生成装置１００が電子文書を作成するに先立って、この電子文書の生成形式や生成オプションを指定する為の画面の遷移例を示す図である。図２の上部は初期画面を示しており、この初期画面において生成モード「新規」を選択すると図２の左下に示す画面に遷移し、初期画面において生成モード「更新・追加」を選択すると図２の右下に示す画面に遷移する。
【００２４】
図３（ａ）は、公開フォルダ一覧画面生成部１２３が生成する画面データを示す図、図３（ｂ）は、この画面データに基づいて表示される画面の表示例を示す図である。図３（ａ）では、画面データをＨＴＭＬ形式で記述した場合について示している。また、図３（ｂ）に示した画面は、電子文書参照装置１５０が有するフィードリーダ１５１によって表示される画面である。
【００２５】
図４は、記憶装置１４０内のフィードデータ１４２に基づいて、電子文書参照装置１５０が有するフィードリーダ１５１が表示する画面の表示例を示す図である。図５（ａ）、（ｂ）、図６（ａ）、（ｂ）、図７は、記憶装置１４０内のフィードデータ１４２を、IETFがRFCで公開しているフィード形式であるATOM Syndication Formatで記述した場合の一例を示す図である。
【００２６】
この記述例では、「XXXグループ共有フォルダ」という名前がつけられた公開フォルダ（格納フォルダ）が、「定例会議2007-10-04-議事録」、「定例会議2007-10-04-宿題」という２つのエントリを有している。そして、各エントリには文書形式、言語が異なる３つの電子文書があることが記されている。なお、フィードデータの記述形式としては、デファクト標準であるRSS（Really Simple Syndication）など、他のフィード形式を用いても良い。
【００２７】
図８（ａ）、（ｂ）は、文書生成オプション一覧表１１５の構成例を示す図である。図８（ａ）では、文書生成オプション一覧表１１５は、領域６０１〜６０５で構成されている。領域６０１には、電子文書の文書名が登録されている。領域６０２には、電子文書を保存する為の公開フォルダの名前が登録されている。領域６０３には、電子文書の説明文が登録されている。領域６０４には、電子文書の形式が登録されている。領域６０５には、電子文書の生成時に指定されたオプションが登録されている。
【００２８】
図８（ｂ）では、文書生成オプション一覧表１１５は領域６１１〜６１５で構成されており、それぞれの領域の性質については、図８（ａ）に示した領域６０１〜６０５とそれぞれ同じである。
【００２９】
図８（ｃ）は、文書生成オプション変換表１１６の構成例を示す図である。文書生成オプション変換表１１６は、領域７０１〜７０４で構成されている。領域７０１には、電子文書の生成時に指定された生成オプションの名前が登録されている。領域７０２には、生成オプションの名前が指定されたときに、文書プロパティの設定が必要なフィードデータ１４２内の要素、属性などのノード名（文書プロパティ設定先ノード名）が登録されている。領域７０３には、文書プロパティ設定先ノード名で指定されたノードに、文書プロパティを設定する際の方法が登録されている。領域７０４には、文書プロパティ設定値が登録されている。なお、領域７０２には、W3Cで仕様が策定されているXPath表現のデータが登録されているが、フィードエントリ内の要素、属性を特定することが可能な形式のデータであれば、他の如何なる形式のデータであっても良い。
【００３０】
図９（ａ）は、公開フォルダ一覧表１１４の構成例を示す図である。公開フォルダ一覧表１１４は、領域８０１〜８０４から構成されている。領域８０１には、公開フォルダの名前が登録されている。領域８０２には、記憶装置１４０における公開フォルダのパス（フォルダパス）が登録されている。領域８０３には、公開フォルダのフィードデータの形式が登録されている。領域８０４には、記憶装置１４０における公開フォルダのフィードデータのパス（フィードデータパス）が登録されている。なお、本実施形態では、公開フォルダは、電子文書の生成前にあらかじめ生成されており、すでに公開フォルダ一覧表１１４は作成されていることを想定しているが、電子文書生成の過程で公開フォルダ、公開フォルダ一覧表１１４を作成してもよい。
【００３１】
次に、電子文書生成装置１００による電子文書の生成処理について、同処理のフローチャートを示す図１０を用いて以下説明する。先ず、電子文書生成装置１００のユーザは、読み取り対象の紙文書を電子文書生成装置１００にセットする。このとき、入出力装置１７０が有するタッチパネル形式の画面には図２の上部に例示する画面が表示されており、ユーザは、入出力装置１７０を操作することで、この紙文書に基づいて生成する電子文書の文書形式、保存先公開フォルダ、生成モード、を指定する。
【００３２】
メニュー２０１は、Adobe社のPDF形式、Microsoft社のXPS形式等、電子文書生成装置１００が生成可能な複数種の文書形式のうち何れか１つを選択するためのものである。ユーザは入出力装置１７０を操作することで、これから生成する電子文書の文書形式を１つ選択する。
【００３３】
メニュー２０２は、事前に作成された複数の公開フォルダのうち何れか１つを選択するためのものである。ユーザは入出力装置１７０を操作することで、これから使用する公開フォルダを１つ選択する。なお、公開フォルダについては予め作成されたものを使用することに限定するものではなく、この時点で新規に作成しても良い。
【００３４】
メニュー２０３は、生成モードを１つ選択するためのものである。選択モードには、新規の電子文書作成（「新規」モード）、既に公開フォルダに保存されている電子文書の新バージョンの電子文書作成（「更新」モード）、既に公開フォルダに保存されている電子文書の別形式の電子文書作成（「追加」モード）、がある。
【００３５】
従って、ステップＳ９０２では、ユーザが入出力装置１７０を用いてメニュー２０１を操作して生成形式を選択した場合には、電子文書形式指定部１１１はこの選択された生成形式を示す情報を取得する。
【００３６】
次に、ステップＳ９０３では、ユーザが入出力装置１７０を用いてメニュー２０２を操作して保存先公開フォルダを選択した場合には、電子文書形式指定部１１１はこの選択された保存先公開フォルダを示す情報を取得する。
【００３７】
次に、ステップＳ９０４では、ユーザが入出力装置１７０を用いてメニュー２０３を操作して生成モードを選択した場合には、電子文書形式指定部１１１はこの選択された生成モードを示す情報を取得する。
【００３８】
そして、ステップＳ９０４で取得した情報が示す生成モードが「新規」であれば処理はステップＳ９０５を介してステップＳ９０６に進み、「新規」以外であれば処理はステップＳ９０５を介してステップＳ９０７に進む。ステップＳ９０６，Ｓ９０７における処理の詳細については後述する。
【００３９】
なお、ステップＳ９０２からステップＳ９０４では、ユーザが入出力装置１７０を用いて操作した結果を取得している。しかし、電子文書生成装置１００上で動作しているアプリケーションプログラムが、C言語の関数コールなどの手続き呼び出しの形態で指定した結果を、ステップＳ９０２からステップＳ９０４で取得するようにしても良い。
【００４０】
次に、ステップＳ９０５における処理の詳細について、図１１を用いて説明する。図１１は、ステップＳ９０５における処理の詳細を示すフローチャートである。ユーザが入出力装置１７０を用いて画面２００におけるメニュー２０３を操作し、「新規」を選択した後、「次へ」ボタン２０４を指示すると、ステップＳ１０００では、入出力装置１７０は、自身が有するタッチパネルに画面２５０を表示する。
【００４１】
ユーザは入出力装置１７０を用いて領域２５１に文書名を入力するので、ステップＳ１００１において電子文書形式指定部１１１は、この入力された文書名を取得する。文書名として指定する文字列は、まだ電子文書名として使用されていない任意の文字列である。
【００４２】
ユーザは入出力装置１７０を用いて領域２５２に文書の説明を入力するので、ステップＳ１００２において電子文書形式指定部１１１は、この入力された文書の説明を取得する。文書の説明として指定する文字列は、この電子文書の内容に関する説明であり、任意の文字列である。
【００４３】
ユーザは入出力装置１７０を用いてメニュー２５３、２５４を操作して生成オプションを選択するので、ステップＳ１００２では更に、電子文書形式指定部１１１は、この選択された生成オプションを取得する。この生成オプションとは、電子文書生成装置１００が電子文書を生成する際に指定すべきパラメータである。本実施形態では、生成オプションとして、電子文書を公開する際の言語種別（メニュー２５３により選択可能）、電子署名の有無（メニュー２５４により選択可能）を採用しているが、電子文書生成装置１００の機能に応じて生成パラメータは異なってもよい。
【００４４】
そしてユーザが入出力装置１７０を用いて「生成開始」ボタン２５５を指示すると、ステップＳ１００３の処理が開始される。ステップＳ１００３では、電子文書形式指定部１１１は、ステップＳ１００１，Ｓ１００２で取得したそれぞれを文書生成オプション一覧表１１５に登録し、その後、文書読込部１１２に読込の指示を行う。文書読込部１１２はこの読込の指示を受けると、セットされた紙文書の読込を行い、この紙文書に記されている情報を画像として取得する。そして文書読込部１１２はこの読込により取得した画像を後段の電子文書生成部１１３に送出し、電子文書形式指定部１１１の生成を要求する。
【００４５】
次に、ステップＳ１００４では、電子文書の生成要求を受けた電子文書生成部１１３は、電子文書形式指定部１１１が取得したそれぞれの設定内容を、文書生成オプション一覧表１１５から取得し、取得した設定内容に基づいて電子文書を生成する。その後、電子文書生成部１１３は、公開フォルダ一覧表１１４から、指定された公開フォルダ名（領域８０１）を検索キーとして、フォルダパス（領域８０２）を取得する。そして、電子文書生成部１１３は、取得したフォルダパスに基づいて、記憶装置１４０内の該当するフォルダに、この生成した電子文書をファイルとして保存する。
【００４６】
ステップＳ１００５で電子文書生成部１１３は、この保存したファイルのパス名（200710040001.xps）と共に、フィードエントリ生成部１１８に、公開フォルダのフィードデータに生成した電子文書に対応するエントリを追加するよう要求する。
【００４７】
次に、ステップＳ１００６では、このエントリの追加要求を受けたフィードエントリ生成部１１８は、指定された公開フォルダのフィードデータの検索を、フィードデータ選択部１２１に要求する。
【００４８】
次に、ステップＳ１００７では、この検索要求を受けたフィードデータ選択部１２１は、公開フォルダ一覧表１１４を参照し、公開フォルダ名を検索キーとして、フィードデータ形式（領域８０３）、フィードデータパス（領域８０４）を検索する。そしてフィードデータ選択部１２１は、その検索の結果を、フィードエントリ生成部１１８に渡す。なお、公開フォルダの生成後、電子文書が１つも保存されていない場合、フィードデータは、図５（ａ）に示す如く、フィードエントリに相当するentry要素が存在しない。
【００４９】
次に、ステップＳ１００８では、フィードエントリ生成部１１８は、文書生成オプション一覧表１１５を参照し、追加するフィードエントリに相当するentry要素に初期値を設定する。例えば、図８（ａ）に示すように、文書生成オプション一覧表１１５に値が設定されていた場合、フィードエントリ生成部１１８は、以下の初期値をentry要素に設定する。
【００５０】
＜entry要素のid属性＞
生成した一意の値（この実装形態の説明では、IETF RFC4122で仕様が決められているUUIDを使用する）
＜entry要素のtitle属性＞
文書名（領域６０１）の値（”定例会議2007-10-04-議事録”）
＜entry要素のupdate属性＞
フィードエントリ生成時の時間
＜entry要素のcontent属性＞
文書の説明（領域６０３）の値（”定例会議議事録”）
＜entry要素のlink子要素のtitle属性の値＞
文書形式（領域６０４）の値（”XPS形式”）
＜entry要素のlink子要素のtype属性の値＞
文書形式（領域６０４）の値に対応するMIMEタイプ（”application／vnd.ms-xpsdocument”）
上記の設定後、ステップＳ１００９においてフィードエントリ生成部１１８は、文書プロパティ取得部１１７に電子文書の生成オプション（領域６０５）に相当する文書プロパティの設定値、設定先のノード、設定方法を要求する。文書プロパティ取得部１１７は、文書生成オプション変換表１１６を参照し、文書プロパティ設定値、設定先ノードと設定方法をフィードエントリ生成部１１８に送出する。
【００５１】
例えば、文書生成オプション変換表１１６に図８（ｃ）に示すような値が設定されていた場合、文書プロパティ取得部１１７は、以下の値をフィードエントリ生成部１１８に送出する。
【００５２】
・  生成オプション：日本語文書として公開
・  文書プロパティの設定先ノード：link／@title
・  文書プロパティの設定方法：追加
・  文書プロパティの設定値：日本語
・  文書プロパティの設定先ノード：link／@hreflang
・  文書プロパティの設定方法：更新
・  文書プロパティの設定値：ja
・  生成オプション：電子署名あり
・  文書プロパティの設定先ノード：link／@title
・  文書プロパティの設定方法：追加
・  文書プロパティの設定値：電子署名あり
ステップＳ１０１０でフィードエントリ生成部１１８は、次のように動作する。先ず、「文書プロパティ設定先ノード」で示されたentry要素のlink子要素のtitle属性の初期値である”XPS形式”に、”日本語”、“電子署名あり”を「文書プロパティ設定方法」に従って、値の追加として設定する。更に、フィードエントリ生成部１１８は、「文書プロパティ設定先ノード」で示されたentry要素のlink子要素のhreflang属性に”ja”を「文書プロパティ設定方法」で示されたとおり、値の更新として設定する。なお、本実施形態では、link要素のtitle属性、hreflang属性に値を設定したが、フィードリーダが理解可能な別のノードに値を設定してもよい。
【００５３】
文書プロパティ取得部１１７が取得した値をフィードエントリに反映後、フィードエントリ生成部１１８は、ステップＳ１０１１における処理を行う。ステップＳ１０１１でフィードエントリ生成部１１８は、フィードデータの更新日時（feed要素のupdate属性）にフィードエントリの更新日時（entry要素のupdate属性）の値を設定し、記憶装置１４０に保存する。なお、図５（ｂ）は、電子文書を新規作成した場合に記憶装置１４０に保存されるフィードデータの一例を示している。
【００５４】
次に、上記ステップＳ９０７における処理の詳細について、図１２を用いて説明する。図１２は、ステップＳ９０７における処理の詳細を示すフローチャートである。ユーザが入出力装置１７０を用いて画面２００におけるメニュー２０３を操作し、「更新」若しくは「追加」を選択した後、「次へ」ボタン２０４を指示すると、ステップＳ１１００では入出力装置１７０は、自身が有するタッチパネルに画面２６０を表示する。
【００５５】
ユーザは入出力装置１７０を用いてメニュー２６１を操作して、文書名を選択するので、ステップＳ１１０１において電子文書形式指定部１１１は、この入力された文書名を取得する。メニュー２６１から選択可能な文書名は、すでに記憶装置１４０に登録されている電子文書の文書名である。
【００５６】
ユーザは入出力装置１７０を用いてメニュー２６２、２６３を操作して生成オプションを選択するので、ステップＳ１１０２では、電子文書形式指定部１１１は、この選択された生成オプションを取得する。この生成オプションとは、電子文書生成装置１００が電子文書を生成する際に指定すべきパラメータである。本実施形態では、生成オプションとして、電子文書を公開する際の言語種別（メニュー２６２により選択可能）、電子署名の有無（メニュー２６３により選択可能）を採用しているが、電子文書生成装置１００の機能に応じて生成パラメータは異なってもよい。そしてユーザが入出力装置１７０を用いて「生成開始」ボタン２６４を指示すると、ステップＳ１１０３の処理が開始される。
【００５７】
ステップＳ１１０３では、電子文書形式指定部１１１は、ステップＳ１１０１，Ｓ１１０２で取得したそれぞれを文書生成オプション一覧表１１５に登録し、その後、文書読込部１１２に読込の指示を行う。文書読込部１１２はこの読込の指示を受けると、セットされた紙文書の読込を行い、この紙文書に記されている情報を画像として取得する。そして文書読込部１１２はこの読込により取得した画像を後段の電子文書生成部１１３に送出し、電子文書形式指定部１１１の生成を要求する。
【００５８】
次に、ステップＳ１１０４では、電子文書の生成要求を受けた電子文書生成部１１３は、電子文書形式指定部１１１が取得したそれぞれの設定内容を、文書生成オプション一覧表１１５から取得し、取得した設定内容に基づいて電子文書を生成する。その後、電子文書生成部１１３は、公開フォルダ一覧表１１４から、指定された公開フォルダ名（領域８０１）を検索キーとして、フォルダパス（領域８０２）を取得する。そして、電子文書生成部１１３は、取得したフォルダパスに基づいて、記憶装置１４０内の該当するフォルダに、この生成した電子文書をファイルとして保存する。
【００５９】
ステップＳ１１０５で電子文書生成部１１３は、この保存したファイルのパス名と共に、フィードエントリ更新部１２０に、公開フォルダのフィードデータに生成した電子文書に対応するエントリを更新（修正）するよう要求（修正要求）する。
【００６０】
次に、ステップＳ１１０６では、このエントリの追加要求を受けたフィードエントリ更新部１２０は、指定された公開フォルダのフィードデータの検索を、フィードデータ選択部１２１に要求する。
【００６１】
次に、ステップＳ１１０７では、この検索要求を受けたフィードデータ選択部１２１は、公開フォルダ一覧表１１４を参照し、公開フォルダ名を検索キーとして、フィードデータ形式（領域８０３）、フィードデータパス（領域８０４）を検索する。そしてフィードデータ選択部１２１は、その検索の結果を、フィードエントリ更新部１２０に渡す。
【００６２】
次に、ステップＳ１１０８では、フィードエントリ更新部１２０は、フィードデータ選択部１２１から受け取ったフィードデータパスを参照し、電子文書の文書名に相当するフィードエントリを検索する。本実施形態では、title属性の値が、電子文書の文書名に一致するentry要素を検索することになる。
【００６３】
次に、ステップＳ１１０９では、フィードエントリ更新部１２０は、生成オプションに対応する文書プロパティ値を文書プロパティ取得部１１７で取得する。文書プロパティ取得部１１７は、文書生成オプション変換表１１６を参照し、文書プロパティの設定先ノード、設定方法、設定値を取得する。次に、ステップＳ１１１０では、文書プロパティを取得したフィードエントリ更新部１２０は、フィードエントリ内から文書プロパティをもつリンク記述を検索する。
【００６４】
ステップＳ１１１０における検索の結果、リンク記述が存在した場合には、処理はステップＳ１１１１を介してステップＳ１１１２に進む。一方、係る検索の結果、リンク記述が存在しなかった場合には、処理はステップＳ１１１１を介してステップＳ１１１３に進める。
【００６５】
ステップＳ１１１２では、フィードエントリ更新部１２０は、リンク先アドレス（entry要素のlink子要素のhref属性の値）を更新する。そしてその後、タイムスタンプ（entry要素のupdate子要素、feed要素のupdate要素）を更新する。
【００６６】
そしてステップＳ１１１４では、フィードエントリ更新部１２０は、このフィードデータを記憶装置１４０に保存する。例えば、図８（ａ）に示す如く文書生成オプション一覧表１１５に値が設定され、電子文書生成部１１３が新規に作成したファイルの名前が”200710050001.xps”だった場合、フィールドデータの更新結果は図６（ａ）に示すようになる。
【００６７】
一方、ステップＳ１１１３では、フィードエントリ更新部１２０は、新たなリンク記述(entry要素のlink子要素)を追加し、タイムスタンプ（entry要素のupdate子要素、feed要素のupdate要素）を更新する。例えば、図８（ｂ）に示す如く文書生成オプション一覧表１１５に値が設定され、電子文書生成部１１３が新規に作成したファイルの名前が”200710040001.pdf”だった場合、フィールドデータの更新結果は図６（ｂ）のようになる。
【００６８】
次に、電子文書参照装置１５０が、フィードリーダ１５１を用いて、電子文書生成装置１００の公開フォルダのフィードデータの参照を登録するためのフィードデータ参照登録処理について、同処理のフローチャートを示す図１３を用いて説明する。
【００６９】
ステップＳ１２０１では、電子文書参照装置１５０（実際には本装置の不図示のＣＰＵ）は、フィードリーダ１５１に電子文書生成装置１００の公開フォルダの一覧表示の要求を行う。
【００７０】
ステップＳ１２０２では、フィードリーダ１５１は、ステップＳ１２０１における要求を受けると、電子文書生成装置１００に対して公開フォルダ一覧要求を送信する。ステップＳ１２０３では、電子文書生成装置１００の公開フォルダ一覧要求受付部１２２は、フィードリーダ１５１により送信された公開フォルダ一覧要求を受信する。ステップＳ１２０４では、公開フォルダ一覧要求受付部１２２は、公開フォルダ一覧画面生成部１２３に対し、共有フォルダの一覧画面の生成を要求する。
【００７１】
ステップＳ１２０５では、要求を受け取った公開フォルダ一覧画面生成部１２３は、公開フォルダ一覧表１１４を参照して公開フォルダ一覧画面を生成した後、この生成した公開フォルダ一覧画面のデータを、公開フォルダ一覧要求受付部１２２に返信する。例えば、公開フォルダ一覧表１１４に、図９（ａ）に示すような値が設定されていた場合、生成される公開フォルダ一覧画面は、図３（ｂ）に示すような画面となる。なお、本実施形態では、図３（ａ）に示すように、公開フォルダ一覧画面は、ＨＴＭＬで記述されているものとしているが、フィードリーダ１５１で解釈可能なデータ形式であれば、その他の種類のデータで公開フォルダ一覧画面を構成しても良い。
【００７２】
図１３に戻って、ステップＳ１２０６では、公開フォルダ一覧画面のデータを受け取った公開フォルダ一覧要求受付部１２２は、このデータを電子文書参照装置１５０に送信する。
【００７３】
ステップＳ１２０７では、公開フォルダ一覧画面のデータを受け取ったフィードリーダ１５１は、このデータに従った画面、即ち公開フォルダ一覧画面を、電子文書参照装置１５０が有する不図示の表示装置等に表示する。
【００７４】
ここで、電子文書参照装置１５０のユーザが、フィードデータを参照する公開フォルダをこの公開フォルダ一覧画面上で指定すると、フィードリーダ１５１は、ステップＳ１２０８においてこの指定を受け付ける。
【００７５】
そしてステップＳ１２０９では、この指定された公開フォルダのフィードデータへのリンク（参照情報）を、ブックマーク等の形態で登録する。係る処理の具体例を、図３（ｂ）に示した公開フォルダ一覧画面を用いて説明する。ユーザは、この画面上でフィードデータへのリンク「XXXグループメンバー用公開フォルダの更新情報」をマウス等でクリックすると、フィードリーダ１５１は、フィードデータへのリンクをブックマーク等の形態でもって登録する。
【００７６】
次に、電子文書参照装置１５０がフィードリーダ１５１を用いて、電子文書生成装置１００の公開フォルダのフィードデータを取得するためのフィードデータ取得処理について、同処理のフローチャートを示す図１４を用いて以下に説明する。
【００７７】
ステップＳ１３０１では、フィードリーダ１５１は、電子文書参照装置１５０のユーザからの「登録されている公開フォルダのフィードデータの表示要求」を受け付ける。そして受け付けた表示要求の対象となるフィードデータが古いのものである場合には処理はステップＳ１３０２を介してステップＳ１３０８に進む。一方、古いものではない場合には処理はステップＳ１３０２を介してステップＳ１３０３に進む。
【００７８】
なお、ステップＳ１３０２ではこのように、フィードデータが古いものであるか否かの判断処理を行うのであるが、係る判断は例えば、次のようにして行っても良い。即ち、フィードエントリ生成部１１８やフィードエントリ更新部１２０がフィードデータの生成および更新時にフィードデータ内に記述したフィードデータの有効期限をフィードリーダ１５１が参照し、現在日時と比較することによって行う。フィードデータ内の有効期限は、例えば、図５（ａ）に示したfeed要素の子要素として「＜expire＞2007-10-12T12:00:00Z＜／expire＞」というように記述する。そして、現在日時が有効期限がよりも過去の日時を示す場合には、「古くない」と判断できるし、現在日時が有効期限よりも後の日時を示す場合には、「古い」と判断できる。
【００７９】
ステップＳ１３０３では、フィードリーダ１５１は、電子文書生成装置１００に対し、公開フォルダのフィードデータの送信を要求する。なお、一般のフィードリーダは、設定により、フィードデータの要求を特定の時間間隔で自動更新することが可能である。
【００８０】
ステップＳ１３０４では、電子文書生成装置１００のフィードデータ要求受付部１２４は、ステップＳ１３０３でフィードリーダ１５１により送信された要求を受信する。ステップＳ１３０５では、フィードデータ要求受付部１２４は、ステップＳ１３０４において受信した要求の対象となるフィードデータを、記憶装置１４０から検索する。ステップＳ１３０６では、フィードデータ要求受付部１２４は、ステップＳ１３０４において検索したフィードデータを、電子文書参照装置１５０に送信する。
【００８１】
ステップＳ１３０７では、電子文書参照装置１５０のフィードリーダ１５１は、ステップＳ１３０６で送信されたフィードデータを受信する。ステップＳ１３０８では、フィードリーダ１５１は、この受信したフィードデータ（ユーザから表示要求があったフィードデータ）を解析し、このフィードデータに基づく画面を、電子文書参照装置１５０が有する不図示の表示装置などに表示する。なお、フィードデータの表示方法はフィードリーダによって異なるが、例えば図７に示したフィードデータをフィードリーダ１５１が受信したとすると、電子文書参照装置１５０が有する不図示の表示装置などには図４に示した画面が表示される。
【００８２】
電子文書参照装置１５０のユーザは係る画面において、取得したい電子文書をマウスによるクリックなどで指定するので、ステップＳ１３０９では、フィードリーダ１５１はこの指定を受け付ける。ステップＳ１３１０では、フィードリーダ１５１は、この受け付けた指定対象の電子文書に対応するURIアドレスをもとに、電子文書生成装置１００に対して、電子文書の送信要求を送信する。
【００８３】
ステップＳ１３１１では、電子文書生成装置１００上の電子文書要求受付部１２５は、ステップＳ１３１０において送信された送信要求を受信する。ステップＳ１３１２では、電子文書要求受付部１２５は、この受信した送信要求の対象となる電子文書を、記憶装置１４０に格納されている電子文書１４１から検索する。ステップＳ１３１３では、電子文書要求受付部１２５は、この検索した電子文書を、電子文書参照装置１５０に送信する。
【００８４】
ステップＳ１３１４では、電子文書参照装置１５０のフィードリーダ１５１は、ステップＳ１３１３において送信された電子文書を受信する。ステップＳ１３１５では、フィードリーダ１５１は、この受信した電子文書を、電子文書参照装置１５０が有する不図示の表示装置等に表示する。なお、受信した電子文書をフィードリーダ１５１が表示できない場合、フィードリーダ１５１の設定により適切なビューアなどで表示、若しくは予め設定された処理を行う。
【００８５】
まとめると、本実施形態に係る電子文書生成装置１００は、紙文書を読込むことで得られる文書内容情報と、文書生成用の指示内容情報と、に基づいて電子文書を生成し、この指示内容情報に基づいて、紙文書の説明情報を生成する。そして、電子文書を生成したことを外部の装置に通知するためのデータであるフィードデータを、説明情報を参照することで生成し、外部の装置からの要求に応じてフィードデータを外部の装置に送信する。
【００８６】
［第２の実施形態］
図１５は、本実施形態に係るシステムの構成例を示すブロック図である。係るシステムは、図１に示した入出力装置１７０、電子文書生成装置１００、記憶装置１４０のセットが複数台ネットワークに接続されている点が、第１の実施形態と異なる。そして本実施形態では、係る構成において、１つの公開フォルダが、複数の電子文書生成装置のフォルダで構成されている。ただし、電子文書参照装置は、第１の実施形態と同様、１台の電子文書生成装置から公開フォルダのフィードデータを取得することができる。
【００８７】
図１５において、電子文書生成装置１４００、電子文書生成装置１４１０ａ〜１４１０ｃは何れも、図１に示した電子文書生成装置１００と同様のものである。しかし、電子文書生成装置１４００については、自装置だけでなく、他の電子文書生成装置のフィードデータをも保持する点が第１の実施形態と異なる。
【００８８】
電子文書生成装置１４００は、生成した電子文書と、フィードデータを保存する記憶装置１４０１、ユーザが電子文書生成を指示する際に使用する入出力装置１４０２、を有する。
【００８９】
電子文書生成装置１４１０ａは、生成した電子文書を保存する記憶装置１４１１ａ、ユーザが電子文書生成を指示する際に使用する入出力装置１４１２ａ、を有する。これは、その他の電子文書生成装置１４１０ｂ、１４１０ｃについても同じである。そして電子文書生成装置１４００、１４１０ａ〜１４１０ｃ、電子文書参照装置１４２０は、ネットワーク１４３０に接続されている。
【００９０】
図１６は、電子文書生成装置１４１０ａ〜１４１０ｃに適用可能な電子文書生成装置１５００のハードウェア構成例を示すブロック図である。図１６に示す如く、電子文書生成装置１５００は、メモリ１５１０、ＣＰＵ１５３０を有し、更に、この電子文書生成装置１５００には、記憶装置１５４０、入出力装置１５７０が接続されている。
【００９１】
入出力装置１５７０は、タッチパネル形式の表示画面やキーボード、マウスなどにより構成されており、ユーザが操作することで各種の指示をＣＰＵ１５３０に対して入力することができると共に、各種の表示を行うことができる。
【００９２】
記憶装置１５４０には、電子文書生成装置１５００が生成した電子文書１５４１が保存されている。もちろん、後述する処理において必要となる情報についても、この記憶装置１４０に格納するようにしても良い。本実施形態では、この記憶装置１５４０は、ハードディスクドライブ装置としているが、ＣＤ−ＲＯＭやＤＶＤ−ＲＯＭ等、その他の種別の記憶装置であっても良い。メモリ１５１０には、以下に列挙する各部がコンピュータプログラムの形態でもって格納されている。
【００９３】
・  電子文書形式指定部１５１１
・  文書読込部１５１２
・  電子文書生成部１５１３
・  文書プロパティ取得部１５１７
・  フィードエントリ生成要求部１５１８
・  フィードエントリ更新要求部１５２０
・  電子文書要求受付部１５２５
更に、メモリ１５１０には、以下に列挙する各部がデータの形態でもって格納されている。
【００９４】
・  公開フォルダ一覧表１５１４
・  文書生成オプション一覧表１５１５
。  文書生成オプション変換表１５１６
電子文書形式指定部１５１１は、電子文書生成装置１５００が紙文書から取得する電子文書についての様々な設定を行う。文書生成オプション一覧表１５１５は、電子文書形式指定部１５１１によって設定された設定情報を登録するためのものである。
【００９５】
文書読込部１５１２は、電子文書生成装置１５００にセットされた紙文書に記録されている情報を画像として取得し、取得した画像を電子文書生成部１５１３に送出して電子文書の生成を要求する。電子文書生成部１５１３は、文書読込部１５１２が取得した画像に基づいて電子文書を生成し、生成した電子文書を、記憶装置１５４０に電子文書１５４１として保存する。
【００９６】
公開フォルダ一覧表１５１４には、電子文書参照装置１４２０に公開する公開フォルダ名と、記憶装置１５４０上のフォルダパスと、の対応関係情報が記されている。文書プロパティ取得部１５１７は、文書生成オプションから、フィードデータ内で使う文書プロパティを取得する。
【００９７】
文書生成オプション変換表１５１６には、文書生成オプションとフィードデータ内で使う文書プロパティとの対応関係情報が記されている。フィードエントリ生成要求部１５１８は、新規のエントリデータの追加要求を、電子文書生成装置１４００に対して行う。
【００９８】
フィードエントリ更新要求部１５２０は、フィードエントリの記述の更新要求を、電子文書生成装置１４００に対して行う。なお、本実施形態では一例として追加要求、更新要求の何れも、ATOM Publishing Protocolで行う。電子文書要求受付部１５２５は、電子文書参照装置１４２０から電子文書の要求を受け付け、この要求に該当する電子文書を電子文書参照装置１４２０に送信する。
【００９９】
なお、メモリ１５１０に格納されているものとして上述した各部はＣＰＵ１５３０により実行されることで、その機能を実現する。以下では説明上、メモリ１５１０に格納されている各部を処理の主体とするが、実際には、ＣＰＵ１５３０が処理の主体となる。
【０１００】
図９（ｂ）は、公開フォルダ一覧表１５１４の構成例を示す図である。公開フォルダ一覧表１５１４は、図１の公開フォルダ一覧表１１４と同様、公開フォルダのフォルダ名（領域１６０１）、フォルダパス（領域１６０２）、フィードデータ形式（領域１６０３）、フィードデータパス（領域１６０５）を有する。しかし公開フォルダ一覧表１５１４はこれに加えて、フィードエントリ生成要求部１５１８及びフィードエントリ更新要求部１５２０がフィードエントリの新規追加要求、更新要求を送信する宛先を示す電子文書生成装置（メイン）名（領域１６０４）を有する。
【０１０１】
一方、電子文書生成装置１４００は、第１の実施形態と同様の、図１に示した構成を有するのであるが、下記の点で異なる。即ち、特に、フィードエントリ生成要求部１５１８、フィードエントリ更新要求部１５２０が、電子文書生成装置１４００だけでなく、電子文書生成装置１４１０ａ〜１４１０ｃからのフィードエントリの新規追加要求、更新要求を受け付ける機能を備える。電子文書参照装置１４２０、フィードリーダ１４２１についてはそれぞれ、第１の実施形態で説明した電子文書参照装置１５０、フィードリーダ１５１と同様である。
【０１０２】
また、電子文書生成装置１４１０ａ〜１４１０ｃが行う処理については、下記の点以外については第１の実施形態と同じである。即ち、ステップＳ１００５で行うフィードエントリ追加要求が自装置ではなく電子文書生成装置１４００が行う点、ステップＳ１１０５で行うフィードエントリ更新要求が自装置ではなく電子文書生成装置１４００が行う点以外は第１の実施形態と同様である。
【０１０３】
以上説明した各実施形態によれば、電子文書を、その生成時に指定した文書形式、電子署名の有無などの文書情報と共に、Webブラウザなど、一般的なフィードリーダで参照可能な文書情報として自動生成、及び公開することができる。
【０１０４】
また、ネットワークを介して接続された複数の電子文書生成装置で生成された電子文書の更新情報を、一つの公開フォルダのフィードデータとしてまとめ、これをフィードリーダで参照可能にすることができる。
【０１０５】
これにより、電子文書の更新を頻繁に確認する必要がない参照側の装置、電子文書の最新の更新情報だけが必要な参照側の装置に対し、頻繁に電子文書の更新情報が送られることがなくなる。従って、これら参照側の装置が望む頻度で、フィードリーダを使って電子文書更新情報を参照することができる。また、参照側の装置のフィードリーダを使って、必要な電子文書の最新版を簡単に選択し、ダウンロードすることができる。
【０１０６】
さらに、参照側の装置への更新情報の通知が複数設定されていた場合でも、電子文書更新時に一度に参照側の装置にメール通知する必要がないため、電子文書更新時の電子文書生成装置、ネットワークの負荷が一時期に集中することがなくなる。
【０１０７】
［その他の実施形態］
本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶したコンピュータ読み取り可能な記憶媒体は本発明を構成することになる。
【図１】
2010287130.tif 000003
【図２】
2010287130.tif 000004
【図３】
2010287130.tif 000005
【図４】
2010287130.tif 000006
【図５】
2010287130.tif 000007
【図６】
2010287130.tif 000008
【図７】
2010287130.tif 000009
【図８】
2010287130.tif 000010
【図９】
2010287130.tif 000011
【図１０】
2010287130.tif 000012
【図１１】
2010287130.tif 000013
【図１２】
2010287130.tif 000014
【図１３】
2010287130.tif 000015
【図１４】
2010287130.tif 000016
【図１５】
2010287130.tif 000017
【図１６】
2010287130.tif 000018